(57)【特許請求の範囲】
【請求項１】
免許証挿入口と、免許証挿入口から挿入された運転免許証に記載された情報を読み取る免許証情報読み取り装置と、免許証情報読み取り装置で免許証記載情報を読み取られた運転免許証をその表面を上向きに露出させて保持する免許証排出保持口と、免許証情報読み取り装置で読み取られた免許証記載情報を表示する表示装置と、表示装置の表面に配設される透明なタッチパネルによって形成され表示装置に表示される免許証記載情報の訂正事項を入力すると共に他の必要情報を入力するための入力装置と、免許証情報読み取り装置で読み取られた免許証記載情報や入力装置から入力された入力情報をプリンターに出力して交通違反切符をプリントアウトさせるプリンター制御部を有する中央演算処理装置とを、筐体に設けて成ることを特徴とする交通違反切符発行器。
【請求項２】
免許証排出保持口に透明な蓋を開閉自在に設けて成ることを特徴とする請求項１に記載の交通違反切符発行器。
【請求項３】
入力装置のタッチパネルに手書き入力された文字を認識する手書き文字認識処理部を中央演算処理装置に設けて成ることを特徴とする請求項１又は２に記載の交通違反切符発行器。
【請求項４】
メモリーカード読み書き装置を中央演算処理装置に接続して設けて成ることを特徴とする請求項１乃至３のいずれかに記載の交通違反切符発行器。
【請求項５】
メモリーカード読み取り装置で読み取られるメモリーカードには、担当の警察官の情報が記録されていることを特徴とする請求項４に記載の交通違反切符発行器。
【請求項６】
免許証情報読み取り装置で読み取られた免許証記載情報や入力装置から入力された入力情報がメモリーカード読み書き装置でメモリーカードに書き込まれることを特徴とする請求項４又は５に記載の交通違反切符発行器。
【請求項７】
住所及び氏名のデータベースを格納する記憶装置を中央演算処理装置に接続して設け、免許証情報読み取り装置で読み取られた免許証記載情報のうち住所と氏名をイメージ情報から文字情報に変換する際にこの住所及び氏名のデータベースを参酌して変換を行なう住所氏名変換処理部を中央演算処理装置に設けて成ることを特徴とする請求項１乃至６のいずれかに記載の交通違反切符発行器。
【請求項８】
電話番号と地名とを対照させたデータベースを格納する記憶装置を中央演算処理装置に接続して設け、入力装置によって入力された電話番号と住所のいずれか一方の情報に対応して、この電話番号・地名対照データベースに基づいて電話番号と地名のいずれか他方の情報を検出演算する電話番号・地名相互演算部を中央演算処理装置に設けて成ることを特徴とする請求項１乃至７のいずれかに記載の交通違反切符発行器。
【請求項９】
筐体にプリンター及び電池を一体に設けて成ることを特徴とする請求項１乃至８のいずれかに記載の交通違反切符発行器。
【請求項１０】
無線通信装置を中央演算処理装置に接続して設けて成ることを特徴とする請求項１乃至９のいずれかに記載の交通違反切符発行器。
【請求項１１】
筐体と別体に形成されたプリンターに、免許証情報読み取り装置で読み取られた免許証記載情報や入力装置から入力された入力情報が無線通信装置から出力されることを特徴とする請求項１０に記載の交通違反切符発行器。
【請求項１２】
ＧＰＳ信号を受信して現在位置情報を中央演算処理装置に入力するＧＰＳ受信装置を中央演算処理装置に接続して設けて成ることを特徴とする請求項１乃至１１のいずれかに記載の交通違反切符発行器。
【請求項１３】
セキュリティカードに登録されたＩＤ番号の認識に基づいて起動を制御するセキュリティー装置を設けて成ることを特徴とする請求項１乃至１１のいずれかに記載の交通違反切符発行器。
【発明の詳細な説明】
【０００１】
【発明の属する技術分野】
本発明は、警察官が携帯し、交通違反者に対して交通違反切符を発行するために使用される交通違反切符発行器に関するものである。
【０００２】
【従来の技術】
交通取締りの警察官が、交通違反者に交通違反切符を発行するにあたっては、次のようにして行なわれている。すなわち、まず交通違反者の運転免許証の呈示を求め、交通違反切符に運転免許証の記載事項から、違反者の氏名、本籍、住所、免許証番号等を交通違反切符にボールペン等の筆記用具で写し書きし、さらに違反事項や違反日時等を交通違反切符に筆記用具で記入し、このように必要事項を記入した後に、交通違反切符を交通違反者に手渡して発行するようにしている。
【０００３】
しかし、このように交通違反切符に運転免許証の記載事項を手書きで写し書きしたり、必要事項を手書きで記入したりすることは、時間がかかって交通違反の処理を迅速に行なうことができず、また転記ミスや誤字、脱字等のおそれがあって交通違反切符の記載に不備が生じたりすると共に、乱雑な字の場合には記載事項を読むことができないことがあるという問題があった。
【０００４】
そこで、手書きでなくプリンターによって交通違反切符を発行することができるようにした携帯型の交通違反切符発行器が特開平６−５２１９７号公報や特開平６−５２１９８号公報等で提供されている。
このものは、運転免許証に記載された氏名、本籍、住所、免許証番号等の情報をイメージセンサで読み取り、イメージセンサで読み取った情報をプリンターで交通違反切符の用紙にプリントアウトするようにしてある。このようにして、手書きする必要なく、交通違反切符を発行することができるのである。
【０００５】
【発明が解決しようとする課題】
しかし、運転免許証に記載された氏名、本籍、住所、免許証番号等をイメージセンサで読み取る際に、運転免許証に汚れ等があると、文字を正確に読み取れず、間違った字として読み取ったり、読み取りエラーが生じたりするおそれがあり、正確な記入事項を記入した交通違反切符をプリントアウトできない場合があるという問題があった。
【０００６】
本発明は上記の点に鑑みてなされたものであり、運転免許証から読み取った事項を訂正して正確な事項を記入した交通違反切符を発行することができ、しかも訂正の操作を容易に行なうことができる交通違反切符発行器を提供することを目的とするものである。
【０００７】
【課題を解決するための手段】
本発明に係る交通違反切符発行器は、免許証挿入口１と、免許証挿入口１から挿入された運転免許証２に記載された情報を読み取る免許証情報読み取り装置３と、免許証情報読み取り装置３で免許証記載情報を読み取られた運転免許証２をその表面を上向きに露出させて保持する免許証排出保持口４と、免許証情報読み取り装置３で読み取られた免許証記載情報を表示する表示装置５と、表示装置５の表面に配設される透明なタッチパネル６によって形成され表示装置５に表示される免許証記載情報の訂正事項を入力すると共に他の必要情報を入力するための入力装置７と、免許証情報読み取り装置３で読み取られた免許証記載情報や入力装置７から入力された入力情報をプリンター８に出力して交通違反切符９をプリントアウトさせるプリンター制御部１０を設けた中央演算処理装置１１とを、筐体１２に設けて成ることを特徴とするものである。
【０００８】
また請求項２に係る発明は、免許証排出保持口４に透明な蓋１３を開閉自在に設けて成ることを特徴とするものである。
また請求項３に係る発明は、入力装置７のタッチパネル６に手書き入力された文字を認識する手書き文字認識処理部１４を中央演算処理装置１１に設けて成ることを特徴とするものである。
【０００９】
また請求項４に係る発明は、メモリーカード読み書き装置１５を中央演算処理装置１１に接続して設けて成ることを特徴とするものである。
また請求項５に係る発明は、メモリーカード読み取り装置１５で読み取られるメモリーカード１６には、担当の警察官の情報が記録されていることを特徴とするものである。
【００１０】
また請求項６に係る発明は、免許証情報読み取り装置３で読み取られた免許証記載情報や入力装置７から入力された入力情報がメモリーカード読み書き装置１５でメモリーカード１６に書き込まれることを特徴とするものである。
また請求項７に係る発明は、住所及び氏名のデータベースを格納する記憶装置１７を中央演算処理装置１１に接続して設け、免許証情報読み取り装置３で読み取られた免許証記載情報のうち住所と氏名をイメージ情報から文字情報に変換する際にこの住所及び氏名のデータベースを参酌して変換を行なう住所氏名変換処理部１８を中央演算処理装置１１に設けて成ることを特徴とするものである。
【００１１】
また請求項８の発明は、電話番号と地名とを対照させたデータベースを格納する記憶装置１７を中央演算処理装置１１に接続して設け、入力装置７によって入力された電話番号と地名のいずれか一方の情報に対応して、この電話番号・地名対照データベースに基づいて電話番号と地名のいずれか他方の情報を検出演算する電話番号・地名相互演算部１９を中央演算処理装置１１に設けて成ることを特徴とするものである。
【００１２】
また請求項９の発明は、筐体１２にプリンター８及び電池を一体に設けて成ることを特徴とするものである。
また請求項１０の発明は、無線通信装置２０を中央演算処理装置１１に接続して設けて成ることを特徴とするものである。
また請求項１１の発明は、筐体１２と別体に形成されたプリンター８に、免許証情報読み取り装置３で読み取られた免許証記載情報や入力装置７から入力された入力情報が無線通信装置２０から出力されることを特徴とするものである。
【００１３】
また請求項１２の発明は、ＧＰＳ信号を受信して現在位置情報を中央演算処理装置１１に入力するＧＰＳ受信装置２１を中央演算処理装置１１に接続して設けて成ることを特徴とするものである。
また請求項１３の発明は、セキュリティカード２２に登録されたＩＤ番号の認識に基づいて起動を制御するセキュリティー装置２３を中央演算処理装置１１に接続して設けて成ることを特徴とするものである。
【００１４】
【発明の実施の形態】
以下、本発明の実施の形態を説明する。
筐体１２は携帯可能な大きさの箱状に形成されるものであり、少々の衝撃や落下に対しても壊れないように、例えばマグネシウム合金等や樹脂成形品などの軽量で剛性を有するもので形成してある。また筐体１２内には、ＭＰＵやメモリー等を具備して形成される中央演算処理装置１１が内蔵してある。
【００１５】
図１に示すように、この筐体１２の一方の側面にスロット状の免許証挿入口１が設けてあり、この免許証挿入口１と反対側の端部において筐体１２の上面に免許証排出保持口４が設けてある。免許証排出保持口４は凹所として筐体１２の上面に開口するように形成してあり、免許証挿入口１を設けた側面と反対側の側面にも開口するようにしてある。免許証挿入口１と免許証排出保持口４は筐体１２内の連通路で連通しており、免許証挿入口１に挿入された運転免許証２を免許証排出保持口４へと送る搬送装置（図１に図示省略）がこの連通路に設けてある。また免許証排出保持口４には透明プラスチック等で形成された蓋１３が図２（ａ）に示すように取り付けてある。免許証排出保持口４の上面及び側面の開口はこの蓋１３によって閉じられるようになっている。この蓋１３は一端を枢支して上下回動自在にしてあり、図２（ｂ）に示すように上方へ回動させることによって免許証排出保持口４の上面及び側面の開口を開放させて、免許証排出保持口４から運転免許証２を取り出すことができるようにしてある。
【００１６】
上記の免許証挿入口１と免許証排出保持口４の間の連通路には免許証情報読み取り装置３が設けてある。免許証情報読み取り装置３は筐体１２に内蔵したイメージセンサーで形成されるものであり、図３に示すように中央演算処理装置１１のＯＣＲ文字認識部３０に接続してある。ＯＣＲ文字認識部３０は、免許証情報読み取り装置３のイメージセンサーで読み込まれるイメージ情報を文字情報に変換して認識するようにプログラムして形成されているものである。
【００１７】
また筐体１２の上面には液晶ディスプレー等で形成される表示装置５が設けてある。この表示装置５のディスプレーの表面にはタッチパネル６が設けてある。タッチパネル６は透明シートを縦横多数のマトリックスに区画し、各マトリックスに接点を設けて形成されるものであり、タッチパネル６の表面をタッチペンとして形成される入力用ペン３１でポインティングすることによって、ポインティングしたマトリクスの接点をオン作動させて入力を行なうことができるようにしてあり、表示装置５とこのタッチパネル６とで入力装置７が形成されるようにしてある。
【００１８】
入力装置７のタッチパネル６は入力用ペン３１によるポインティングで入力を行なうことができる他に、タッチパネル６の上に入力用ペン３１等で文字を手書きして入力するモードに切り換えて使用することもできるようにしてある。タッチパネル６の上に文字を書くと、文字を書く軌跡上の各マトリクスの接点がオンされるので、このオンされる接点のマトリクスの配置パターンが中央演算処理装置１１の手書き文字認識処理部１４で認識処理され、タッチパネル６の上に書いた文字をこの配置パターンに対応した文字情報として入力することができるものである。
【００１９】
また筐体１２内にはメモリーカード読み書き装置１５が内蔵してあり、筐体１２の側面に設けたカードスロット３２を通してメモリーカード１６が脱着自在に接続されるようにしてある。メモリーカード１６はＩＣカードなどで形成されるものであり、交通違反切符発行器を取り扱う担当警察官の情報、例えば氏名、所属、階級や、その他交通取締り担当場所など事前に分かっている情報が、警察署のコンピュータ４７に接続したメモリーカード読み書き装置４８（図５参照）から入力してこのメモリーカード１６のメモリーに記録されている。
【００２０】
さらに筐体１２内にはメモリーやハードディスク等で形成される記憶装置１７が内蔵してあり、記憶装置１７には住所と氏名のデータベースと運転免許証２の住所と氏名の記載欄のフォーマット情報を格納して保存してある。またこの記憶装置１７には電話番号の局番と地名とを対照させた電話番号・地名対照データベースを格納して保存してある。
【００２１】
また、筐体１２にはインターフェースを設けてプリンター８と接続できるようにしてあり、中央演算処理装置１１に設けたプリンター制御部１０から出力される情報がプリンター８によってプリントアウトできるようにしてある。
次に、上記のようにして形成される交通違反切符発行器Ａを用いた交通違反切符の発行について説明する。
【００２２】
まず、メモリーカード１６を交通違反切符発行器Ａのカードスロット３２からメモリーカード読み書き装置１５に差し込んで接続し、メモリーカード１６に記録した担当警察官の情報をメモリーカード読み書き装置１５で読み取り、記憶装置１７に記録させる。図６はメモリーカード１６の担当警察官情報をメモリーカード読み書き装置１５で読み取ったときに交通違反切符発行器Ａの表示装置５に表示される初期画面Ｄ1 であり、「担当官氏名」の欄の右側の記入欄（図６の空白の欄を示す、以下同じ）にその氏名が、「担当官所属」の欄の記入欄にその所属が、「都道府県名」の欄の記入欄に所属する管轄都道府県名が、「階級」の欄の記入欄にその階級がそれぞれ表示されるようになっており、また取締り場所が予めメモリーカード１６に入力されているときには、「反則場所」の欄の記入欄に取締り場所の地名が表示されるようになっている。初期画面Ｄ1 の「終了」の欄を入力用ペン３１で押すと、表示装置５の表面に配置されているタッチパネル６のこの「終了」の欄に対応するマトリクスの接点がオンされ、初期画面Ｄ1 の表示は終了する。また初期画面Ｄ1 の「キャンセル」の欄を入力用ペン３１で押すと、タッチパネル６のこの「終了」の欄に対応するマトリクスの接点がオンされ、この初期画面Ｄ1 の表示がキャンセルされ、初期画面Ｄ1 が表示し直されるようになっている。
【００２３】
そして検挙した交通違反者に運転免許証２を提示させ、運転免許証２を交通違反切符発行器Ａの免許証挿入口１に挿入する。運転免許証２を免許証挿入口１に挿入すると、搬送装置がオンして運転免許証２は免許証排出保持口４へと送られるが、この間に免許証情報読み取り装置３のイメージセンサーで運転免許証２の表面に記載された情報が読み取られる。免許証排出保持口４は凹所として形成してあるために、運転免許証２は交通違反切符発行器Ａから脱落することなくこの免許証排出保持口４に保持される。しかも免許証排出保持口４の上面及び側面の開口は蓋１３で閉じられているために、運転免許証２の保持が確実になると共に雨天時に雨水が運転免許証２にかかったりすることを防ぐことができるものである。
【００２４】
ここで、運転免許証２の表面に記載された情報は免許証情報読み取り装置３のイメージセンサーでイメージデータとして読み取られるが、このイメージデータは中央演算処理装置１１に入力され、ＯＣＲ文字認識制御部３０において文字データに変換されて文字情報として認識される。
このように運転免許証２の記載情報をイメージデータとして読み込んで文字データに変換するにあたって、住所及び氏名については中央演算処理装置１１の住所氏名変換処理部１８において知識処理を行なって、文字データへの変換の処理速度や処理精度を高めるようにしてある。すなわち、運転免許証２が汚れたりしていて住所や氏名の全文字を読み取れない場合に、記憶装置１７に格納された住所と氏名のデータベースに基づいて、運転免許証２に記載されている住所や氏名を類推して決定するようにプログラムして住所氏名変換処理部１８が形成してある。住所については、都道府県名、市郡町村名がデータベースとして記憶装置１７に格納してあり、例えば運転免許証２に記載された住所の都道府県名が「大阪府」である場合、「阪」という文字が読み取れないときでも、その前後の「大」と「府」が読み取ることができれば、都道府県名のデータベースに基づいて「大阪府」であると類推して都道府県名を決定することができ、住所の情報の認識を迅速且つ正確に行なうことができるようにしてある。名前については、過去の交通違反件数の多い人の氏名のブラックリストがデータベースとして記憶装置１７に格納してあり、例えば氏名のうち一文字が読み取れない場合でも、他の文字とデータベースとの対照によって、氏名を類推して決定できるようにしてある。
【００２５】
上記のようにして、運転免許証２の記載情報が免許証情報読み取り装置３で読み取られて文字情報として認識されると、この免許証記載情報は交通違反切符発行器Ａの表示装置５に図７のような免許証情報確認画面Ｄ2 として表示される。運転免許証２には図１８のような情報が記載されているが、免許証情報確認画面Ｄ2 には免許証記載情報のうち、氏名を「違反者氏名（漢字）」の欄の記入欄に漢字表記で、「違反者氏名（かな）」の欄の記入欄にひらがな表記でそれぞれ表示し、本籍を「違反者本籍・国籍」の欄の記入欄に、住所を「違反者住所」の欄の記入欄に、生年月日を「違反者生年月日」の欄の記入欄に、免許証を発行した公安委員会名を「発行公安委員会名」の欄の記入欄に、免許証の交付日を「免許証交付日」の欄の記入欄にそれぞれ表示するようになっている。
【００２６】
免許証情報読み取り装置３で読み取った免許証記載情報はこのように交通違反切符発行器Ａの上面の表示装置５に表示されるので、交通違反切符発行器Ａの上面の免許証排出保持口４にその表面側を上にして保持されている運転免許証２の記載内容と、表示装置５の表示とを対照し、表示装置５の表示に間違いがないかのチェックを容易に行なうことができる。運転免許証２は蓋１３で覆われているが、蓋１３は透明であるために蓋１３を通して運転免許証２の記載内容を読むことができる。
【００２７】
免許証情報読み取り装置３による読み取りに誤りがあって表示装置５の表示が間違っているときには、表示装置５とタッチパネル６からなる入力装置７によって修正入力を行なうことができる。まず、修正が必要な項目の欄を入力用ペン３１で押す。例えば住所を修正する必要のあるときには、免許証情報確認画面Ｄ2 の「違反者住所」の欄を入力用ペン３１で押すと、タッチパネル６のこの「違反者住所」の欄に対応するマトリクスの接点がオンされ、図８のように住所修正入力画面Ｄ3 に切り換わり、住所は「都道府県」、「市区郡」、「町村」、「番地」の欄の記入欄にそれぞれ分割して表示される。そして住所のうち番地に誤りがあるときには、住所修正入力画面Ｄ3 の「番地」の欄を入力用ペン３１で押すと、タッチパネル６のこの「番地」の欄に対応するマトリクスの接点がオンされ、図９のように番地修正入力画面Ｄ4 に切り換わり、テンキー３５が表示される。このテンキー３５に対応する箇所においてタッチパネル６を入力用ペン３１で押すと、番地修正入力画面Ｄ4 の修正表示欄３５に修正入力結果が表示されるので、修正入力結果を確認した後、番地修正入力画面Ｄ4 の「ＯＫ」の欄を入力用ペン３１で押すと、タッチパネル６のこの「ＯＫ」の欄に対応するマトリクスの接点がオンされ、番地の情報が修正入力に置き換えられる。そして番地修正入力画面Ｄ4 の「全画面」の欄を押すと、タッチパネル６のこの「全画面」の欄に対応するマトリクスの接点がオンされ、住所修正入力画面Ｄ3 に戻る。この住所修正入力画面Ｄ3 の「番地」の欄の記入欄の表示は修正入力の内容に修正されているので、これを確認した後に、住所修正入力画面Ｄ3 の「ＯＫ」の欄を押すと、タッチパネル６のこの「ＯＫ」の欄に対応するマトリクスの接点がオンされ、住所の情報が修正入力したものに置き換えられる。そして住所修正入力画面Ｄ3 の「全画面」の欄を押すと、タッチパネル６のこの「全画面」の欄に対応するマトリクスの接点がオンされ、免許証情報確認画面Ｄ2 に戻る。免許証情報確認画面Ｄ2 の「違反者住所」の欄の記入欄の表示は修正入力の内容に修正されている。
【００２８】
また、修正がこのような数字でなく、氏名や住所等のうち漢字や平仮名の場合には、タッチパネル６が手書き入力のモードに切り換えられ、タッチパネル６の表面に入力用ペン３１で文字を手書き入力して修正を行なうことができるようにしてある。修正入力の操作の手順は上記と同じである。また漢字の文字を修正入力するにあたっては、表示装置５にキーボードを表示させ、表示装置５に表示されるキーボードにタッチパネル６から入力を行なうようにすることによって、ワードプロセッサーの仮名漢字変換方式と同様にして、漢字の文字入力が行なえるようにすることも可能である。
【００２９】
上記のようにして修正入力をした後、あるいは免許証情報確認画面Ｄ2 に表示される内容に誤りがないことを確認した後、免許証情報確認画面Ｄ2 の「ＯＫ」の欄を押すと、表示装置５の表示は図１０の違反者情報入力画面Ｄ5 に切り換わる。違反者情報入力画面Ｄ5 の「違反者氏名（漢字）」、「違反者氏名（かな）」、「違反者住所」、「違反者本籍・国籍」、「違反者生年月日」、「発行公安委員会名」、「免許証交付日」の欄の記入欄にはそれぞれ免許証情報確認画面Ｄ2 と同じ内容が表示され、「反則場所」の欄の記入欄には初期画面Ｄ1 の「反則場所」の欄と同じ内容が表示されるようになっている。その他の事項は違反者から聴取して入力することによって、「反則車両」、「車両登録番号」、「自家用営業用区分」、「免許証保管」、「勤務先又は保護者住所」、「勤務先又は保護者氏名」、「告知交付日時」、「反則日時」、「出頭日」、「出頭時区分」、「勤務先又は保護者電話」、「性別」、「職業」の各欄の記入欄に表示するようにしてある。これらの入力は、「反則車両」等の各欄を入力用ペン３１で押すと、タッチパネル６が手書き入力のモードに切り換えられるので、入力装置７のタッチパネル６の表面に入力用ペン３１で文字を手書きすることによって行なうことができる。
【００３０】
ここで、上記の住所や電話番号を入力するときには、中央演算処理装置１１の電話番号・地名相互演算部１９で演算処理を行なって、電話番号の市外・市内の局番を入力することによって、都道府県市郡町村名を検索することができるようにすると共に、逆に住所を入力することによって、電話番号の市外・市内の局番を検索することができるようにしてある。すなわち、記憶装置１７に格納された電話番号の市内・市外局番と地名との関係のデータベースに基づいて、入力装置７から入力された電話番号の市内・市外局番と住所の地名のいずれか一方の情報に対応して、市内・市外局番と地名のいずれか他方の情報を検索演算するようにプログラムすることによって電話番号・地名相互演算部１９が中央演算処理装置１１に設けてある。
【００３１】
例えば、図１１は違反者情報入力画面Ｄ5 の「勤務先又は保護者電話」の欄を押すと表示装置５に表示される電話番号入力画面Ｄ6 であり、テンキー３５に対応する箇所においてタッチパネル６を入力用ペン３１で押して、電話番号を入力すると、その局番が局番表示欄４１に表示されると共に、この局番から検索される地名の都道府県名と市郡町村名がそれぞれ都道府県表示欄４２と市郡町村表示欄４３に表示されるようになっている。このように電話番号の市外・市内局番から検索された地名は違反者情報入力画面Ｄ5 の「勤務先又は保護者住所」の欄の記入欄に表示される。また、違反者情報入力画面Ｄ5 の「勤務先又は保護者住所」の欄の記入欄に住所を記入すると、住所の地名から電話番号の市外・市内局番が検索され、違反者情報入力画面Ｄ5 の「勤務先又は保護者電話」の欄の記入欄に市外・市内局番が表示される。
【００３２】
図１２は違反者情報入力画面Ｄ5 の「勤務先又は保護者住所」の欄を押すと表示装置５に表示される住所選択入力画面Ｄ7 であり、都道府県候補表示欄４４と市郡候補表示欄４５が表示されており、スクロールバー４６を入力用ペン３１で操作することによって都道府県候補表示欄４４に表示される都道府県名を選択すると、選択した都道府県に所在する市郡名が市郡候補表示欄４５に表示され、市郡候補表示欄４５のスクロールバー４６を同様に入力用ペン３１で操作して市郡名を選択することができるようになっている。このように手書き入力する必要なく選択操作によって「勤務先又は保護者住所」の欄の記入欄に都道府県名と市郡名を記入することができるものである。
【００３３】
違反者情報入力画面Ｄ5 の「前画面に戻る」の欄を押すと、表示装置５の表示が免許証情報確認画面Ｄ2 に戻る。一方、違反者情報入力画面Ｄ5 の各欄への入力が終わった後に、「入力完了」の欄を押すと、タッチパネル６の「入力完了」の欄に対応するマトリクスの接点がオンされ、表示装置５の表示は図１３の違反種別選択画面Ｄ8 に切り換わる。交付される交通違反切符は、違反内容に応じて青切符、赤切符、シートベルト違反用切符、駐車違反用切符の各種類があるので、違反種別選択画面Ｄ8 に表示される「青切符」、「赤切符」、「ベルト切符」、「駐車違反切符」の欄のいずれかを押すと、対応する欄のタッチパネル６のマトリクスの接点がオンされ、交通違反切符の種類を選択することができる。
【００３４】
例えば、違反種別選択画面Ｄ8 の「青切符」の欄を押すと、表示装置５の表示は図１４に示す違反内容画面（青切符）Ｄ9 に切り換わる。違反内容画面（青切符）Ｄ9 には「速度超過」、「信号無視」、「指定場所一時不停止等」、「通行区分違反」、「通行禁止違反」、「積載物重量制限」、「横断歩行者等妨害等」、「踏切不停止」や「その他」の違反事項が表示された欄があり、違反内容に応じた欄を押すと、対応する欄のタッチパネル６のマトリクスの接点がオンされ、表示装置５の表示が違反内容に応じた入力画面に切り換わる。
【００３５】
例えば違反内容画面（青切符）Ｄ9 の「速度超過」の欄を押すと、図１５に示す違反内容入力画面Ｄ10に切り換わる。違反内容入力画面Ｄ10には「法定速度違反」、「指定速度違反」、高速道路での速度違反である「高速」の、速度違反内容の欄が表示されており、まずこの速度違反内容のいずれかの欄を押すと、対応する欄のタッチパネル６のマトリクスの接点がオンされ、違反内容入力画面Ｄ10に表示されているボタン３６が点灯される。次に「制限速度」の欄を押すと、タッチパネル６のこの「制限速度」の欄に対応するマトリクスの接点がオンされ、図９に示したものと同様なテンキー３５が表示されるので、このテンキー３５に対応する箇所においてタッチパネル６を入力用ペン３１で押して、取締っている道路の制限速度の数値を入力すると、違反内容入力画面Ｄ10に戻って、入力した制限速度の数字が「制限速度」の欄の記入欄３７に表示される。続いて、「走行速度」の欄を押すと、タッチパネル６のこの「走行速度」の欄に対応するマトリクスの接点がオンされ、図９に示したものと同様なテンキー３５が再度表示されるので、このテンキー３５に対応する箇所においてタッチパネル６を入力用ペン３１で押して、違反車両の走行速度の数値を入力すると、違反内容入力画面Ｄ10に再度戻って、入力した走行速度の数字が「走行速度」の欄の記入欄３８に表示される。このように制限速度と走行速度の数値が入力されると、制限速度と走行速度から超過速度が演算されて超過速度の欄３９に表示されると共に、超過速度に応じて反則金が演算されて反則金の欄４０に表示される。
【００３６】
このようにして違反内容を入力した後に、違反内容入力画面Ｄ10の「ＯＫ」の欄を押すと、表示装置５は図１６のような最終確認画面Ｄ11に切り換わる。この最終確認画面Ｄ11において「キャンセル」の欄を押すと、今までの入力がキャンセルされて消され、「前画面に戻る」の欄を押すと、違反内容入力画面Ｄ10に戻るようになている。そして最終確認画面Ｄ11の「切符をプリントする」の欄を押すと、タッチパネル６の「切符をプリントする」の欄に対応するマトリクスの接点がオンされ、中央演算処理装置１１のプリンター制御部１０から上記の入力された各情報がプリンター８に出力され、プリンター８にセットされている交通違反切符２５の用紙に必要事項が印字される。このようにして図１７に示すような交通違反切符９をプリントアウトすることができるものであり、この交通違反切符をプリンター８から取り出して、交通違反者に手渡すことによって、交通違反切符を交付することができるものである。
【００３７】
図４の例では、交通違反切符発行器Ａとプリンター８とは別体に形成してあり、交通違反切符発行器Ａを携帯して上記のような入力操作を行なった後に、パトロールカーなどの車両に車載したプリンター８にインターフェースを介して交通違反切符発行器Ａをケーブル４６で接続し、このプリンター８で交通違反切符２５をプリントアウトするようにしてある。
【００３８】
尚、筐体１２にプリンター８及び電池を一体に設けて交通違反切符発行器Ａを形成するようにすることもでき、このようにプリンター８を一体にすればパトロールカーなどの車両から離れた場所でも交通違反切符発行器Ａによって交通違反切符２５をプリントアウトして交付することができ、徒歩や自転車等の軽車両による警ら等にも使用することができるものである。
【００３９】
また、上記のように最終確認画面Ｄ11の「切符をプリントする」の欄を押すと、上記のように入力された各情報がプリンター８に出力されると共に、メモリーカード読み書き装置１５が作動してこれらの各情報がメモリーカード１６に書き込まれるようになっている。このようにして、上記のように入力された各情報は取締りデータとしてメモリーカード１６に保存することができるものであり、一日の取締りデータをメモリーカード１６に保存して警察署に持ち帰ることができるものである。警察署のコンピュータ４７にはＩＣカードドライブなどのメモリーカード読み書き装置４８が図５のように接続してあり、交通違反切符発行器Ａから取り出したメモリーカード１６をメモリーカード読み書き装置４８に差し込んでセットすることによって、メモリーカード１６に保存した取締り情報をコンピュータ４７に入力することができるようにしてある。従って、交通取締りが終了した後の告知業務や集計業務を自動化することができ、手作業でコンピュータ４７に入力するような必要がなくなるものである。また取締り情報は総てメモリーカード１６からコンピュータ４７に入力することができ、コンピュータ４７へのデータ入力作業がその日のうちに終了し、そしてこの取締り情報のデータを分析して次回の取締りに活かすことが容易になるものである。
【００４０】
また、上記の各構成に加えて、無線通信装置２０を交通違反切符発行器Ａの筐体１２に内蔵して設けるようにすることもできる。この場合、交通違反切符発行器Ａと別体に形成されるプリンター８には受信装置が内蔵してある。そしてこのものでは、交通違反切符発行器Ａに入力された上記の各情報のデータは無線通信装置２０から無線信号でプリンター８に送信され、この送信された情報に基づいてプリンター８によって交通違反切符９をプリントアウトすることができるものである。またこの無線通信装置２０を警察無線機としても使用できるようにすることによって、警察無線を通じて運転免許証の照会や、違法駐車等の車両番号の照会等を行なうことが可能なるものであり、警察用端末としての利用範囲を広げることができるものである。
【００４１】
また、交通違反切符発行器Ａの筐体１２にはＧＰＳ受信装置２１が内蔵して設けてある。ＧＰＳ受信装置２１は、ＧＰＳ（Ｇｌｏｂａｌ  Ｐｏｓｉｔｉｏｎｉｎｇ  Ｓｙｓｔｅｍ）用の通信衛星から送信されてくるＧＰＳ信号を受信するアンテナと、受信されたＧＰＳ信号に基づいて緯度・経度の位置情報を検出するＣＰＵ等の演算処理部を内蔵して形成されるものである。そして記憶装置１７には地名と緯度・経度との関係をデータベース化した地名変換データベースが格納してあり、ＧＰＳ受信装置２１で検出された現在の緯度・経度の位置情報が中央演算処理装置１１に入力されると、地名変換データベースに基づいて、現在の緯度・経度の位置情報が現在の地名情報に変換されるようになっている。このようにして、交通違反を検挙したときにその現場の位置の地名を自動的に割り出すことができるものであり、違反者情報入力画面Ｄ5 の「反則場所」の記入欄に反則場所の地名を自動的に入力して記入することができるようになるものである。また、このようにＧＰＳ受信装置２１で検出された位置情報を無線通信装置２０を通じて警察署へデータ伝送するようにしておけば、担当警察官の配置場所をリアルタイムで管理することができるものである。
【００４２】
さらに、交通違反切符発行器Ａにはセキュリティ装置２３が設けてある。セキュリティ装置２３は図１９に示すように、読込装置５３、変調装置５４、通信装置５５、中央演算処理装置１１のＣＰＵ５６、ＩＤ番号が登録されているＲＯＭ５７から構成されるものであり、読込装置５３は変調装置５４と通信装置５５を介してＣＰＵ５６に接続してある。セキュリティカード２２はコンタクトレスカードのデータキャリアによって形成されるものであり、ＩＤ番号が登録してある。読込装置５３はデータキャリア２２が０〜１０ｃｍ程度に近付けられるとデータキャリア２２に登録されたＩＤ番号を読み取り、ＣＰＵ５６に入力するようになっている。そしてＣＰＵ５６はこの読み取られたＩＤ番号とＲＯＭ５７に登録されたＩＤ番号とを照合するようにプログラムされており、照合結果が一致しないと交通違反切符発行器Ａが起動しないように制御するプログラムがＣＰＵ５６に組み込まれている。従って、交通違反切符発行器Ａが盗難されても、セキュリティカード２２がないと交通違反切符発行器Ａは起動せず、交通違反切符発行器Ａが悪用されたり警察情報が盗用されたりすることを防ぐことができるものである。
【００４３】
図２０は交通違反切符発行器Ａの筐体１２の内部の構造を示すものであり、筐体１２内に支柱５８が設けてある。免許証情報読み取り装置３はＣＣＤカメラ５９等からなるスキャナーを具備して形成されるものであり、運転免許証２を免許証挿入口１から免許証排出保持口４へと搬送する搬送装置６０も設けてある。そしてこの免許証情報読み取り装置３の両端のスライド板６１を支柱５８にスライド自在に取り付けると共にスライド板６１の上面と支柱５８の上端との間及びスライド板６１の下面と支柱５８の下端との間にそれぞれスプリング６２を設け、免許証情報読み取り装置３を宙に浮かした状態にスプリング６２で支持するようにしてある。免許証情報読み取り装置３をこのようにスプリング６２で支持することによって、交通違反切符発行器Ａに衝撃が加わっても、この衝撃はスプリング６２で吸収され、免許証情報読み取り装置３に衝撃が伝わらないようにすることができ、免許証情報読み取り装置３を衝撃から守ることができるものである。
【００４４】
図２１は交通違反切符発行器Ａの筐体１２に設けられる免許証挿入口１やカードスロット３２などの開口部６４を示すものであり、筐体１２に回動自在に枢着した蓋板６５で開口部６４を開閉自在にすると共に開口部６４の外面の全周にガスケット６６を設け、開口部６４を蓋板６５で閉じる際に蓋板６５がガスケット６６に密着して開口部６４を完全に密閉することができるようにしてある。図２１において６７はロック用の爪である。このように筐体１２に設けられる開口部６４を蓋板６５で完全密閉することによって、屋外で使用されることが多い交通違反切符発行器Ａの防水構造を高めることができるものである。
【００４５】
【発明の効果】
上記のように本発明は、免許証挿入口と、免許証挿入口から挿入された運転免許証に記載された情報を読み取る免許証情報読み取り装置と、免許証情報読み取り装置で免許証記載情報を読み取られた運転免許証をその表面を上向きに露出させて保持する免許証排出保持口と、免許証情報読み取り装置で読み取られた免許証記載情報を表示する表示装置と、表示装置の表面に配設される透明なタッチパネルによって形成され表示装置に表示される免許証記載情報の訂正事項を入力すると共に他の必要情報を入力するための入力装置と、免許証情報読み取り装置で読み取られた免許証記載情報や入力装置から入力された入力情報をプリンターに出力して交通違反切符をプリントアウトさせるプリンター制御部を有する中央演算処理装置とを、筐体に設けて交通違反切符発行器を形成するようにしたので、表示装置に表示される免許証記載情報と免許証排出保持口に保持される運転免許証の記載事項とを照合することによって、免許証情報読み取り装置による読み取り間違いをチェックすることができると共に、タッチパネルの入力装置から訂正入力することによって間違いを訂正することができ、正確な事項を記入した交通違反切符を発行することができるものであり、しかも表示装置に表示される免許証記載情報と運転免許証の記載事項とを照合するにあたって、運転免許証は免許証排出保持口に保持させておくことができ、運転免許証を手に持って照合をする必要がなく、入力装置に訂正事項を入力する操作が容易になるものである。
【００４６】
また請求項２の発明は、免許証排出保持口に透明な蓋を開閉自在に設けるようにしたので、免許証排出保持口に保持した運転免許証を蓋で覆って雨等から守ることができ、運転免許証が雨に濡れたりすることを防ぐことができるものである。
また請求項３の発明は、入力装置のタッチパネルに手書き入力された文字を認識する手書き文字認識処理部を中央演算処理装置に設けるようにしたので、漢字やかな等の文字の入力が可能になるものである。
【００４７】
また請求項４の発明は、メモリーカード読み書き装置を中央演算処理装置に接続して設けるようにしたので、メモリーカードを可搬の記憶手段として使用することができるものである。
また請求項５の発明は、メモリーカード読み取り装置で読み取られるメモリーカードには、担当の警察官の情報が記録されるようにしたので、交通違反切符を発行する担当検察官の氏名や所属等を交通違反切符に自動的に記入することが可能になるものである。
【００４８】
また請求項６の発明は、免許証情報読み取り装置で読み取られた免許証記載情報や入力装置から入力された入力情報がメモリーカード読み書き装置でメモリーカードに書き込まれるようにしたので、これらの情報をメモリーカードに保存して、交通取締り業務が終了した後に警察署のコンピュータに入力することができ、交通取締りのデータを警察署のコンピュータに入力する作業が容易になって省力化することができるものである。
【００４９】
また請求項７の発明は、住所及び氏名のデータベースを格納する記憶装置を中央演算処理装置に接続して設け、免許証情報読み取り装置で読み取られた免許証記載情報のうち住所と氏名をイメージ情報から文字情報に変換する際にこの住所及び氏名のデータベースを参酌して変換を行なう住所氏名変換処理部を中央演算処理装置に設けるようにしたので、運転免許証の汚れなどで住所や氏名の一部の文字を免許証情報読み取り装置で読み取れない場合でも、住所及び氏名のデータベースの参酌で住所や氏名を類推して決定することができ、汚れなどがあっても運転免許証の記載事項の読込が容易になるものである。
【００５０】
また請求項８の発明は、電話番号と地名とを対照させたデータベースを格納する記憶装置を中央演算処理装置に接続して設け、入力装置によって入力された電話番号と住所のいずれか一方の情報に対応して、この電話番号・地名対照データベースに基づいて電話番号と地名のいずれか他方の情報を検出演算する電話番号・地名相互演算部を中央演算処理装置に設けるようにしたので、電話番号の入力で住所を検索できると共に住所の入力で電話番号の検索ができ、入力の項目を減らすことができるものである。
【００５１】
また請求項９の発明は、筐体にプリンター及び電池を一体に設けるようにしたので、パトロールカー等の車両から離れた場所でもプリンターによって交通違反切符をプリントアウトすることができ、交通取締りの範囲を広げることができるものである。
また請求項１０の発明は、無線通信装置を中央演算処理装置に接続して設けるようにしたので、交通違反切符発行器に入力された各種の情報を無線送信することが可能になるものである。
【００５２】
また請求項１１の発明は、筐体と別体に形成されたプリンターに、免許証情報読み取り装置で読み取られた免許証記載情報や入力装置から入力された入力情報が無線通信装置から出力されるようにしたので、交通違反切符発行器を軽量小型化するためにプリンターを別体に形成しても、プリンターを一々ケーブルで接続する必要なく、データを無線送信してプリンターから交通違反切符をプリントアウトすることができるものである。
【００５３】
また請求項１２の発明は、ＧＰＳ信号を受信して現在位置情報を中央演算処理装置に入力するＧＰＳ受信装置を中央演算処理装置に接続して設けるようにしたので、ＧＰＳ受信装置で検出された現在の位置情報に基づいて、交通違反場所の地名を自動的に入力することが可能になるものである。
また請求項１３の発明は、セキュリティカードに登録されたＩＤ番号の認識に基づいて起動を制御するセキュリティー装置を設けるようにしたので、セキュリティカードがないと交通違反切符発行器を起動させることができないようにすることができ、交通違反切符発行器が盗難されても悪用されたりすることを防ぐことができるものである。
【図面の簡単な説明】
【図１】本発明の実施の形態の一例を示す斜視図である。
【図２】同上の一部を示すものであり、（ａ），（ｂ）はぞれぞれ拡大斜視図である。
【図３】同上の制御系のブッロク図である。
【図４】同上の交通違反切符発行器とプリンターとの接続状態を示す斜視図である。
【図５】同上のコンピュータとメモリーカード読み書き装置の接続状態を示す斜視図である。
【図６】同上の初期画面を示す正面図である。
【図７】同上の免許証情報確認画面を示す正面図である。
【図８】同上の住所修正入力画面を示す正面図である。
【図９】同上の番地修正入力画面を示す正面図である。
【図１０】同上の違反者情報入力画面を示す正面図である。
【図１１】同上の電話番号入力画面を示す正面図である。
【図１２】同上の住所選択入力画面を示す正面図である。
【図１３】同上の切符種別選択画面を示す正面図である。
【図１４】同上の違反内容画面（青切符）を示す正面図である。
【図１５】同上の違反内容入力画面を示す正面図である。
【図１６】同上の最終確認画面を示す正面図である。
【図１７】同上のプリンターから打ち出した交通違反切符を示す正面図である。
【図１８】運転免許証を示す正面図である。
【図１９】本発明の他の実施の形態におけるブロック図である。
【図２０】本発明の他の実施の形態における一部の断面図である。
【図２１】本発明の他の実施の形態における一部の拡大した斜視図である。
【符号の説明】
１  免許証挿入口
２  運転免許証
３  免許証情報読み取り装置
４  免許証排出保持口
５  表示装置
６  タッチパネル
７  入力装置
８  プリンター
９  交通違反票
１０  プリンター制御部
１１  中央演算処理装置
１２  筐体
１３  蓋
１４  手書き文字認識処理部
１５  メモリーカード読み書き装置
１６  メモリーカード
１７  記憶装置
１８  住所氏名変換部
１９  電話番号・地名相互演算部
２０  無線通信装置
２１  ＧＰＳ受信装置
２２  セキュリティカード
２３  セキュリティ装置
【図１】
0003640107.tif 000002
【図２】
0003640107.tif 000003
【図３】
0003640107.tif 000004
【図４】
0003640107.tif 000005
【図５】
0003640107.tif 000006
【図６】
0003640107.tif 000007
【図７】
0003640107.tif 000008
【図８】
0003640107.tif 000009
【図９】
0003640107.tif 000010
【図１０】
0003640107.tif 000011
【図１１】
0003640107.tif 000012
【図１２】
0003640107.tif 000013
【図１３】
0003640107.tif 000014
【図１４】
0003640107.tif 000015
【図１５】
0003640107.tif 000016
【図１６】
0003640107.tif 000017
【図１７】
0003640107.tif 000018
【図１８】
0003640107.tif 000019
【図１９】
0003640107.tif 000020
【図２０】
0003640107.tif 000021
【図２１】
0003640107.tif 000022